(57)【特許請求の範囲】
【請求項１】
電力コンバータで使用されるコントローラであって、
電力コンバータの出力を表すフィードバック信号を受けるためのフィードバックセンサ回路と、
前記フィードバックセンサ回路によって受けられるために結合されたフィードバックサンプリング信号を生成するためのフィードバックサンプリング信号発生器とを備え、
前記フィードバックサンプリング信号は、前記フィードバックセンサ回路へと提供され、
前記フィードバックセンサ回路は、前記フィードバックサンプリング信号に応じて前記フィードバック信号をサンプリングし、
前記コントローラは、
前記フィードバックセンサ回路に結合され、前記フィードバックセンサ回路に応じて複数の稼動条件状態のうちの１つによって、前記電力コンバータのスイッチのスイッチングを制御する状態機械をさらに備え、
前記複数の稼働条件状態の各々は、後続の複数のスイッチング期間についての前記スイッチのスイッチングを制御するために用いられる稼働条件を設定し、
前記コントローラは、
前記状態機械に結合されるフィードバック期間信号を生成するためのフィードバック期間信号発生器をさらに備え、
前記状態機械は、前記フィードバック期間信号に応答して更新され、
前記状態機械を更新することができることを前記フィードバック期間信号が示す２つの連続した時間の間の期間は、前記フィードバックセンサ回路が前記フィードバック信号をサンプリングすることを前記フィードバックサンプリング信号が示す２つの連続した時間の間の期間より実質的に大きく、
前記コントローラは、前記電力コンバータの入力に流れる電流が前記電力コンバータの入力における電圧に対して実質的に位相が一致するとともに振幅が比例するように、前記スイッチのスイッチング制御して前記電力コンバータの入力から前記電力コンバータの出力へエネルギを移動するように構成される、コントローラ。
【請求項２】
前記フィードバックサンプリング信号の周波数が前記スイッチのスイッチング周波数に実質的に等しい、請求項１に記載のコントローラ。
【請求項３】
前記電力コンバータの出力を表す前記フィードバック信号が、前記電力コンバータの出力を流れる電流を表す、請求項１に記載のコントローラ。
【請求項４】
前記電力コンバータの出力を表す前記フィードバック信号が、前記電力コンバータの出力における電圧を表す、請求項１に記載のコントローラ。
【請求項５】
前記複数の各稼動条件状態が実質的に一定のスイッチオンタイムを含む、請求項１に記載のコントローラ。
【請求項６】
前記複数の各稼動条件状態が実質的に一定のスイッチング周波数を含む、請求項１に記載のコントローラ。
【請求項７】
前記フィードバック期間信号の期間が、前記フィードバックサンプリング信号の期間の少なくとも３２０倍である、請求項１に記載のコントローラ。 
【請求項８】
前記フィードバック期間信号の各期間が、前記電力コンバータの入力に結合された交流電圧源の０電圧条件ごとの期間に実質的に等しい、請求項１に記載のコントローラ。
【請求項９】
前記フィードバックセンサ回路が、前記フィードバック信号を受けるために結合された第１のしきい値レベルを有する第１のしきい値レベル検出回路に結合されたカウンタを含む、請求項１に記載のコントローラ。
【請求項１０】
前記フィードバック期間信号の各期間が、前記フィードバック信号が前記第１のしきい値レベルを超える第２の時間ごとの期間に実質的に等しい、請求項９に記載のコントローラ。
【請求項１１】
前記カウンタが結合されて、フィードバックサンプリング周波数でフィードバックサンプリング信号クロックに応じて測定される、請求項９に記載のコントローラ。 
【請求項１２】
前記カウンタが結合されて、前記第１のしきい値レベルと前記フィードバック信号との比較による第１の結果の出力に応じて、前記第１のしきい値レベル検出回路によってインクリメントされる、請求項９に記載のコントローラ。
【請求項１３】
前記カウンタが結合されて、前記第１のしきい値レベルと前記フィードバック信号との比較による、前記第１の結果とは異なる第２の結果の出力に応じて、前記第１のしきい値レベル検出回路によってディクリメントされる、請求項１２に記載のコントローラ。
【請求項１４】
前記状態機械が結合されて、前記カウンタの出力値に応じて稼動条件状態を設定して、前記電力コンバータのスイッチのスイッチングを制御する、請求項９に記載のコントローラ。
【請求項１５】
前記状態機械が結合されて、前記カウンタの出力値に応じて、前記フィードバック期間信号の各期間の終了時に次の稼動条件状態を設定する、請求項１４に記載のコントローラ。
【請求項１６】
前記状態機械が結合されて、前記フィードバック期間信号の各期間の終了時まで稼動条件状態を維持する、請求項１４に記載のコントローラ。
【請求項１７】
前記カウンタが結合されて、前記フィードバック期間信号の各期間の終了時にリセットされる、請求項９に記載のコントローラ。
【請求項１８】
前記フィードバックセンサ回路が、さらに、前記フィードバック信号を受けるために結合された第２のしきい値レベルを有する第２のしきい値レベル検出回路を含む、請求項９に記載のコントローラ。
【請求項１９】
前記状態機械に結合されたロジックをさらに含み、前記第２のしきい値レベルと前記フィードバック信号との比較に応じて、前記状態機械が前記電力コンバータのスイッチを切り替えないようにする、請求項１８に記載のコントローラ。
【請求項２０】
電力コンバータの入力と前記電力コンバータの出力との間で結合され、前記電力コンバータの入力は、交流電圧源に結合され、前記電力コンバータの出力は負荷に結合されているエネルギ移動要素と、
前記エネルギ移動要素に結合されたスイッチと、
前記スイッチに結合された、請求項１に記載のコントローラとを備え、
前記コントローラは、前記電力コンバータの出力を表すフィードバック信号を受けて、前記フィードバック信号に応じて前記スイッチのスイッチングを制御して、前記電源の入力から前記電力コンバータの出力へのエネルギの移動を制御する、電力コンバータ。
【請求項２１】
電力コンバータの入力と前記電力コンバータの出力との間で結合され、前記電力コンバータの入力は、交流電圧源に結合され、前記電力コンバータの出力は負荷に結合されているエネルギ移動要素と、
前記エネルギ移動要素に結合されたスイッチと、
前記スイッチに結合された、請求項１〜１９のいずれかに記載のコントローラとを備え、
前記コントローラは、前記電力コンバータの出力を表すフィードバック信号を受けて、前記フィードバック信号に応じて前記スイッチのスイッチングを制御して、前記電力コンバータの入力から前記電力コンバータの出力へのエネルギの移動を制御する、電力コンバータ。
【請求項２２】
電力コンバータを制御する方法であって、
フィードバックサンプリング周波数で、電力コンバータの出力を表すフィードバック信号からフィードバック情報をサンプリングすることと、
前記フィードバック信号の複数のサンプリングに応答して、サンプリングされたフィードバック情報信号を生成することと、
前記サンプリングされたフィードバック情報信号を第１のしきい値レベルと比較することと、
前記第１のしきい値レベルと前記サンプリングされたフィードバック情報信号との比較に応じて、前記フィードバックサンプリング周波数の割合で値を調節することと、
前記値に応じてフィードバック期間信号の各期間の終了時に、コントローラが後続の複数のスイッチング期間についてスイッチを切り替えるための稼動条件を設定して、前記電力コンバータの入力から前記電力コンバータの出力へのエネルギの移動を制御することとを含み、
前記フィードバック期間信号の周波数は、実質的に前記フィードバックサンプリング周波数未満であり、
前記方法は、
前記電力コンバータの入力を流れる入力電流が、前記電力コンバータの入力における電圧に対して実質的に位相が一致するとともに振幅が比例するように、前記電力コンバータのスイッチを切り替えることをさらに含む、方法。
【請求項２３】
前記フィードバック期間信号の各期間の終了時に前記値をリセットすることをさらに含む、請求項２２に記載の方法。
【請求項２４】
前記値に応じて前記フィードバック期間信号の次の期間の終了時に前記電力コンバータのスイッチを切り替えるための次の稼動条件を設定することをさらに含む、請求項２３に記載の方法。
【請求項２５】
前記サンプリングされたフィードバック情報信号を第２のしきい値レベルと比較することと、
前記サンプリングされたフィードバック情報信号が前記第２のしきい値レベルより大きい間に前記スイッチを切り替えないようにすることとをさらに含む、請求項２２に記載の方法。
【発明の詳細な説明】
【技術分野】
【０００１】
発明の詳細な説明
背景
開示の分野
本発明は、一般的に電源に関し、より詳細には、本発明は、遅いループ帯域幅を有する電源に関する。
【背景技術】
【０００２】
背景
電源は、電気コンセントによってもたらされる交流（「ａｃ」）電力を直流（「ｄｃ」）に変換して電気装置または負荷を提供するために一般的に使用されている。電源設計に対する１つの重要な検討は、交流入力電圧波形に対する交流電源から取り出される入力電流の形および位相である。交流電源の電圧波形は、名目上、正弦曲線である。しかし、多くのスイッチング電力供給装置が交流源にもたらす非線形負荷により、電源によって交流源から取り出される電流の波形は、非正弦曲線および／または交流源電圧波形を備えた位相が異なる。これは、交流電源流通システムの損失の増大をもたらし、世界の多くの部品では、現在、電源によって取り出される電流が正弦曲線であり、交流電圧波形と一致することを電源メーカーが確実にする、立法上の、または任意の必要条件の主題である。
【０００３】
このように、入力電流波形の補正は、力率補正（ＰＦＣ）と称する。入力交流電流および電圧波形が正弦曲線であり、かつ完全に一致する場合、電源の力率は１である。言いかえれば、力率が補正された入力は、交流源にわたって可変抵抗を結合することに等価な交流源に負荷をもたらす。ＰＦＣ補正電源によって交流源に負荷としてもたらされる有効抵抗は、ＰＦＣ補正電源出力負荷によって引き出される電力にしたがって、交流源のｒｍｓ電圧の関数として変化する。交流源電圧の増加に対する入力電流の高調波歪みおよび／または位相変位として、力率は１未満に減少する。力率の必要条件は、一般的には、０．９を越える力率を必要とし、入力電流波形の調和性のための必要条件を有していてもよい。
【０００４】
スイッチング電力供給装置がＰＦＣをもたらさなければならない用途としては、発光ダイオード（ＬＥＤ）照明用途が挙げられ、より多くの従来の白熱灯と比較してＬＥＤによってもたらされるエネルギ効率が改善されることによってより知られるようになっている。ＬＥＤによってもたらされる光の明るさはＬＥＤを流れる電流の関数であるので、電源は、また、ＬＥＤにもたらされる直流電流を調整し、電源に対する出力負荷を形成する。したがって、電源制御は、直流出力電流調整の関数を組み合わせ、電源の入力に接続された交流電源に実質的に負荷抵抗をもたらすことによってＰＦＣをもたらす。
【０００５】
出力電流調整は、ＬＥＤを流れる電流を感知し、入力から電源の出力にエネルギの流れを調整する電源コントローラに対するＬＥＤ電流の関数であるフィードバック信号をもたらすことによって一般的に達成される。スイッチング電力供給装置は、ＬＥＤ電流を平滑直流レベルに調整するために、一般的には、電流フィードバック情報の変動に非常に速く応答する。
【０００６】
しかし、上記のように、ＰＦＣを達成するために、電源は、交流電源に対して実質的に抵抗性の負荷をもたらさなければならない。ＬＥＤ電流の速い変化を調整するためのエネルギの流れの急速な変化は、ＰＦＣ性能を悪くし、非正弦曲線の電源入力電流波形および低力率を生じる。したがって、ＰＦＣを達成するために、電源は、電流フィードバック情報の変動にゆっくり応答するように構成されなければならず、多くの場合、遅い電源制御ループまたは低い帯域幅ループと称せられる。この遅いループ機能性は、電源制御ループ内の大きな電気容量の導入により通常達成される。電気容量は、たとえば、電源の出力で導入されて、ＬＥＤ負荷のいかなる電流の変動も低減する傾向がある電源の出力で、非常に安定した直流出力電圧を維持してもよい。
【０００７】
他の実施例において、ＬＥＤの電流は変動することが可能であるが、一般的には、大きな電気容量および抵抗を含む大きなフィルタは、ＬＥＤ電流路と電源コントローラとの間のフィードバック経路で導入される。これは、このとき、電源コントローラが、電源出力電流の重いフィルタをかけたバージョンに応答するように、フィードバック信号にフィルタにかけ、コントローラが、交流電源入力源から、程度の差はあるがエネルギの流れの突然の需要を作り出すことを防ぐことに役立つ。
【０００８】
ＰＦＣを達成する上記技術の両方は、電源における物理的に大きな部品を必要とするという不都合を有し、電源制御ループ応答を遅くする。ＬＥＤ照明は、インバルブ用途と称する場合がある非常に小さなライトバルブ筐体内に多くの場合収まらなければならないので、ＬＥＤ照明の主用途は、電源回路ができるだけコンパクトであることを必要とする。さらに、バルブ内の温度は高く、高価な高温コンデンサを使用することを必要とするので、大きなコンデンサは、そのようなインバルブＬＥＤ発光用途における信頼性およびコストの懸案事項を有する。
図面の簡単な説明
本発明を限定せず、包括的でない実施形態は、次の図を参照して説明され、同じ参照数字は、別段の定めがない限り、様々な図面を通して同じ部品を言及する。
【図面の簡単な説明】
【０００９】
【図１】本発明の教示による一例のコントローラを含むスイッチモード電力コンバータの概略例を描く。
【図２Ａ】本発明の教示による一例のコントローラを説明する機能的ブロック図である。
【図２Ｂ】本発明の教示による一例のコントローラ用の状態機械の状態図の一部を描く。
【図３】図３は、本発明の教示による一例のコントローラを採用する一例の電力コンバータの稼動を説明するために波形を示す。
【図４】本発明の教示による一例のコントローラを説明する機能的ブロック図である。
【図５】本発明の教示による一例のコントローラを採用する一例の電力コンバータの稼動を説明する波形を示す。
【発明を実施するための形態】
【００１０】
詳細な説明
本発明の１つの態様では、説明の目的のために本明細書に開示された方法および装置は、電力コンバータを使用して、入力電流波形の力率補正をもたらす。次の説明では、本発明の完全な理解をもたらすために多数の具体的な詳細を説明する。しかし、本発明を実行するために具体的な詳細を採用する必要がないことが当業者には明らかであろう。実施に関係する公知の方法は、本発明を不明瞭にしないようにするために詳細に記載されていない。
【００１１】
「１実施形態（ｏｎｅ  ｅｍｂｏｄｉｍｅｎｔ）」、「１実施形態（ａｎ  ｅｍｂｏｄｉｍｅｎｔ）」、「１実施例（ｏｎｅ  ｅｘａｍｐｌｅ）」または「１実施例（ａｎ  ｅｘａｍｐｌｅ）」に対する本明細書の全体にわたる参照は、実施形態に関連して記載された特有の特徴、構造または特性が、本発明の少なくとも１つの実施形態または実施例に含まれることを意味する。したがって、本明細書の全体にわたる様々な場所における句「１実施形態において（ｉｎ  ｏｎｅ  ｅｍｂｏｄｉｍｅｎｔ）」、「１実施形態において（ｉｎ  ａｎ  ｅｍｂｏｄｉｍｅｎｔ）」、「１実施例において（ｉｎ  ｏｎｅ  ｅｘａｍｐｌｅ）」または「１実施例において（ｉｎ  ａｎ  ｅｘａｍｐｌｅ）」の出現は、必ずしもすべて同じ実施形態について言及していない。特有の特徴、構造または特性は、たとえば、１つまたは複数の実施形態または実施例における任意の適切なコンビネーションおよび／またはサブコンビネーションに組み合わせてもよい。
【００１２】
以下に検討するように、本発明の教示による様々な実施例は、力率が補正された電力コンバータコントローラが、新規技術を提供して、従来の外部フィルタ技術を必要とすることなく電力コンバータコントローラのループ応答を劇的に遅くすることによって、コンパクトな力率が補正された電力コンバータを提供するのに必要な外部回路部品のサイズ、コストおよび数を低減する制御技術を使用することを可能にする。このように、さらなる外部部品なしで遅いループ応答をもたらすコントローラによって、洗練されており、コンパクトなＬＥＤランプコンバータを製造することができる。
【００１３】
１実施例において、コントローラは結合されて、以下により詳細に説明するように、電力コンバータの入力から出力へのエネルギの流れを調整するように、コントローラによってオンオフされるスイッチを駆動する。１実施例において、コントローラは、フィードバックサンプリング周波数で電力コンバータの出力を表すフィードバック情報をサンプリングする。１実施例において、電力コンバータの出力を表すフィードバック情報は、電力コンバータの出力に結合されたＬＥＤ負荷を流れる電流を表す。他の実施例において、フィードバック情報は、電力コンバータの出力における電圧を表してもよい。１実施例において、フィードバックサンプリング周波数は、電源スイッチのスイッチング周波数に実質的に等しい。このフィードバックサンプリング周波数は比較的高く、たとえば、３００を越えるそのようなサンプルが、交流電源の１サイクルの期間に得られることを意味する。交流電源のこの期間は、世界において回路が稼動している場所に応じて、一般的に１６〜２０ミリ秒（５０〜６０ヘルツの交流電源周波数に相当する）である。
【００１４】
１実施例において、コントローラは、フィードバック期間に、このようにしてフィードバック情報を集め、実施例において交流電源サイクルの半分または全体の期間としてもよい。１実施例において、コントローラは、電源スイッチの実質的に一定の稼動条件を、フィードバック期間に、コントローラによって制御されるように設定する。以下により詳細に検討するように、この文脈における一定の稼動条件は、電力コンバータの入力から電力コンバータの出力へのエネルギの移動を制御するために、コントローラによって制御される電源スイッチのスイッチングの実質的に一定のスイッチオンタイム、実質的に一定のスイッチング周波数等を意味していてもよい。
【００１５】
１実施例において、電源スイッチの稼動条件は、そのフィードバック期間にフィードバックサンプリング周波数で集められるフィードバック情報に基づいて、全フィードバック期間、および各フィードバック期間の終了時まで設定されない次の稼動条件の間維持される。フィードバック情報は、フィードバック期間に第１のフィードバックしきい値レベルより高いまたは低いフィードバックサンプルの数を数えることによって集められる。１実施例において、コントローラは、電力コンバータの出力を表すフィードバック情報がしきい値レベルを超える場合、フィードバック期間に応答するように構成されており、たとえば、電力コンバータまたは負荷に保護をもたらすために、さらにより急速な応答を必要とする異常状況を示してもよい。
【００１６】
たとえば、図１は、本発明の教示による、電源に含まれた一例のコントローラ１０９の概略図を概略的に示し、電力コンバータ１００として示されている。実施例において、電力コンバータ１００は、電力コンバータ１００の入力で交流電圧源１０１に結合されたフライバックコンバータである。交流電圧源は、一般的には、電気ソケットを介して、配電システム（たとえば、発電装置）によってもたらされる。実施例において示すように、ブリッジ整流器１８０は、直流線間電圧を大きさＶＩＮ１０６の実質的未平滑直流入力電圧波形１０４に変換する。説明される実施例において、コンデンサ１８１は、非常に低い値であり、高周波雑音電流にフィルタをかけるためのものであり、実質的に平滑でない整流した電圧波形１０４をもたらす。
【００１７】
図１の実施例で説明するように、電力コンバータ１００は、変圧器１８２として示されたエネルギ移動要素を含めて示され、変圧器１８２は、一端ではブリッジ整流器１８０に、反対端では電源スイッチ１１６に結合されている。稼動中において、電源スイッチ１１６は、電源スイッチ１１６が電流を導くことができる場合、「オン」すなわち「閉」状態であり、電源スイッチ１１６が電流を導くことができない場合、「オフ」すなわち「開」状態である。実施例において、入力リターン１８３は、電源スイッチ１１６に結合されている。稼動中において、電源スイッチ１１６がオンである場合、電流がエネルギ移動要素１８２を流れ、電源スイッチ１１６がオフである時間の少なくとも一部の間、エネルギ移動要素１８２および出力ダイオード１８４を電流が流れる。したがって、説明される実施例において、エネルギ移動要素１８２は、本発明の教示による電源スイッチ１１６のスイッチングに応じて、電力コンバータ１００の出力にエネルギを移動する。したがって、実施例において、電力コンバータ１００は、入力端子１１５から、出力端子１１４に結合された負荷１１１にエネルギを移動するために結合されている。実施例において、コントローラ１０９は、カップリング１１８を介して、電源スイッチ１１６をオンオフ駆動する。実施例において、電源スイッチ１１６およびコントローラ１０９は、集積回路１８５の一部を形成し、モノリシック（シングルダイ）またはハイブリッド（マルチダイ）集積回路として製造してもよい。他の実施例において、本発明の教示をさらに生かしながら、コントローラおよび電源スイッチを完全に別のパッケージに収容してもよい。
【００１８】
実施例において示すように、フィードバック信号１２０は、接続１１７を介してコントローラ１０９に結合されている。実施例において、フィードバック信号１２０は、センス抵抗１１３間で生成され、センス抵抗１１３は、負荷１１１を流れる電流１１９に比例した電圧ＶＦＢをもたらす。他の実施例において、電流センス変圧器などの他の電流センス回路を、本発明の教示をさらに生かしながら使用してもよい。さらに他の実施例では、電力コンバータは、分離された供給装置としてもよく、その場合には、光結合器、フィードバック巻線、一次巻線、または負荷電流１１９を表す信号およびフィードバック信号１２０を分離する他の方法が、本発明の教示をさらに生かしながら使用される。
【００１９】
１実施例において、コントローラ１０９は、電源スイッチ１１６のスイッチングを制御して、入力端子１１５から出力端子１１４へのエネルギの流れを調整して、電圧波形１０４に実質的に一致するとともに比例する波形１０５を有する入力電流１０２をもたらす。１実施例において、コントローラ１０９は、コントローラ１０９内部で発生するフィードバックサンプリング周波数でフィードバック信号１２０からフィードバック情報を集める。１実施例において、コントローラ１０９は、フィードバック期間にフィードバック信号１２０からフィードバック情報を集め、フィードバック期間は、フィードバック信号をサンプリングするために使用されるフィードバックサンプリング信号の期間より大きい。たとえば、１実施例において、フィードバック期間は、交流電源期間１０３の半分である。他の実施例において、フィードバック期間は、完全な交流電源サイクルまたはさらに長い継続期間の他の期間と実質的に等しくしてもよい。１実施例において、コントローラ１０９は、フィードバック期間に集められるフィードバック情報に応じて、フィードバック期間の終了時にコントローラによって制御されるスイッチの稼動条件を設定する。
【００２０】
１実施例において、フィードバック信号１２０は、各フィードバック期間に実質的に３２０回サンプリングされる。言いかえれば、１実施例において、フィードバック期間信号の期間は、フィードバックサンプリング信号の期間の少なくとも３２０倍であり、フィードバックサンプリング周波数の逆数に等しい。他の実施例において、フィードバック期間信号の期間は、フィードバック期間のスイッチングサイクル期間の平均の少なくとも５００倍である。当然のことながら、フィードバック信号１２０は電圧信号として示されるが、他の実施例においては、本発明の教示をさらに生かしながら、フィードバック電流信号を使用してもよい。
【００２１】
図２Ａは、本発明の教示を生かす、コントローラ２０９およびスイッチ２１６を含む集積回路２８５の一例のブロック図を示す。実施例において、コントローラ２０９は、図のように、ともに結合されたフィードバックセンサ回路２２４、状態機械２２２、フィードバック期間信号発生器２２９およびフィードバックサンプリング信号発生器２２１を含む。実施例において、フィードバック端子２１０は、集積回路２８５のアース端子２０８に対する電圧であるフィードバック信号２２０を受ける。フィードバック信号２２０は、コンパレータ２２５に対する入力でしきい値レベルＶｒｅｆ２３０に比較される。実施例において、コンパレータ２２４は、しきい値レベルＶｒｅｆ２３０に等しいしきい値レベルを有するしきい値レベル検出回路である。コンパレータ２２５の出力は、カウンタ２２３に結合され、フィードバックサンプリング信号２２１によって測定される。実施例において、カウンタ２２３の出力は、状態機械２２２に結合されている。１実施例において、状態機械２２２は、カウンタ２２３がフィードバック期間信号２２６によって更新される時間にカウンタ２２３の値に基づいて、コントローラ２０９がスイッチ２１６のスイッチングを制御する稼動条件または状態を設定する。フィードバック期間信号２２６は、フィードバック期間信号発生器２２９によって生成される。１実施例において、フィードバックサンプリング信号２２７は、多くの場合、フィードバック期間信号２２６の期間の少なくとも３２０分の１の期間を有する。言いかえれば、フィードバックサンプリング信号２２７は、実施例では、フィードバック期間信号２２６が状態機械２２２を更新するよりカウンタ２２３を少なくとも３２０倍測定する。
【００２２】
実施例において、状態機械２２２によって設定された稼動条件または状態は、スイッチ２１６のスイッチングサイクルにつき一定のオンタイム、および／または少なくとも次のフィードバック期間信号２２６が状態機械２２２によって受けられるまで、スイッチ２１６のスイッチングのための一定のスイッチング周波数を含む。言いかえれば、スイッチ２１６のスイッチング周波数および／またはスイッチ２１６のスイッチングサイクルあたりのオンタイムは、少なくとも、フィードバック期間信号２２６が受けられるような時間までフィードバック信号２２０に反応しない。次のフィードバック期間信号２２６が状態機械２２２によって受けられた後、カウンタ２２３の値に応じて、状態機械２２２は、次いで、稼動条件状態を同じ状態のままに設定してもよく、または、状態機械２２２は、他の稼動条件状態をスイッチ２１６のスイッチングを制御するように設定してもよい。
【００２３】
たとえば、図２Ｂは、状態機械の一部の１実施例を示し、１実施例において、図２Ａの状態機械２２２としてもよい。図２Ｂで説明する実施例において、３つの稼動条件状態２７０、２７１、２７２が、一定のスイッチング周波数および一定のスイッチオンタイムで示されている。他の実施例において、スイッチング周波数はジッターされて、電磁妨害（ＥＭＩ）を低減することができる。１実施例において、全部の状態機械の状態図は、２５６の状態からなっていてもよい。他の実施例において、全部の状態機械の状態図は、特有の設計に関して状態機械のための所望の粒子度に応じて、２５６の状態より多いまたは少ない数の状態からなっていてもよい。図２Ｂで説明する実施例では、稼動条件状態（Ｘ）２７０において、スイッチング周波数がｘｋＨｚで一定とされ、スイッチングサイクルごとのスイッチオンタイムは、ｕμ秒で一定とされる。
【００２４】
図２Ａを参照して、カウンタ２２３の値は、次の稼動条件状態が、図２Ｂで稼動条件状態（Ｘ）２７０から稼動条件状態（Ｘ＋１）２７１に変化することを状態機械２２２に示してもよい。稼動条件状態（Ｘ＋１）２７１は、ｙｋＨｚのより高いスイッチング周波数を有し、ｖμ秒のスイッチオンタイムは、稼動条件状態（Ｘ）２７０のそれぞれの変数より大きい。同様に、実施例において、稼動条件状態（Ｘ＋２）２７２は、また、より高いスイッチング周波数および稼動条件状態（Ｘ＋１）２７１のそれらの変数より大きなスイッチオンタイムを有する。１実施例において、スイッチング周波数の変化およびスイッチングサイクルごとのスイッチオンタイムを、稼動条件状態間の移行による電源供給の変化率が実質的に一定であるように選択してもよい。１実施例において、実質的に一定とされた状態間の電源供給の変化率を有することは、移行がある特有の状態と無関係に、電力コンバータ利得が実質的に一定とされることを確実することに役立つ。稼動条件状態間の移行が決定される方法は、図３を参照してより詳細に以下に説明される。
【００２５】
図３は、本発明の教示を生かすコントローラの稼動を説明する例の波形を示し、実施例において、図１、２Ａそれぞれにおいて、コントローラ１０９、２０９に類似していてもよい。実施例において、波形３０４は、全波整流未平滑電圧波形であり、１実施例において、図１における波形１０４に相当する。実施例において、波形３０５は、入力電流波形であり、１実施例において、図１における波形１０５に相当する。実施例において、波形３３４はフィードバック信号波形であり、１実施例において、図１、２Ａそれぞれにおけるフィードバック波形１２０、２２０に相当し、したがって、負荷を流れる電流を表す。
【００２６】
なお、図３の実施例において、出力電流波形またはフィードバック波形３３４は、入力電流波形３０５と一致せず、１実施例において、たとえば、図１のコンデンサ１１２などの電力コンバータの出力にわたって結合された出力コンデンサの影響によってもよく、入力電流波形に対して出力電流波形を位相シフトする傾向がある。１実施例において、図１のコンデンサ１１２は、以下の図５に関してより詳細に検討するように、負荷の過剰ピーク電流を回避することに役立つ。
【００２７】
波形３３４は、また、波形３０５から位相シフトされたにもかかわらず、入力電圧波形３０４のサイクル期間３３３と実質的に同一である全期間３３２を有する。したがって、１実施例において、これは、たとえば、図２Ａのフィードバック期間信号２２６などのフィードバック期間信号が、波形３０４、３０５または３３４のうちのいずれかを使用して生成されることを可能にする。波形３３４を使用する場合、フィードバックしきい値３３０より大きい状態からフィードバックしきい値３３０未満である状態に移行するフィードバック信号波形３３４の事象は、フィードバック期間信号２２６を生成するために事象として使用することができる。たとえば、図３の時点３９０、３９１は、連続したフィードバック期間の始点および終点であってもよく、時点３９０は、ｎ番目のフィードバック期間の始点を示し、時点３９１は、ｎ番目のフィードバック期間３９２の終了時および次のフィードバック期間の開始を示し、（ｎ＋１）番目のフィードバック期間３９３として示されている。言いかえれば、フィードバック期間信号の各期間は、１実施例において、フィードバック信号３３４がしきい値レベル３３０を超える第２の時間ごとの期間に実質的に等しい。他の実施例において、フィードバック期間信号の期間は、その代りに、期間３３３に実質的に等しくしてもよく、交流電源電圧波形３０４の２分の１のサイクルに等しい。言いかえれば、１実施例において、フィードバック期間信号の期間は、電力コンバータの入力に結合される交流電圧源の０電圧条件ごとの期間に実質的に等しい。
【００２８】
実施例において、波形３６１は、フィードバックサンプリング信号期間３６９の割合でインクリメントまたはディクリメントされるカウンタ出力を表す。１実施例において、フィードバック信号３３４がフィードバックしきい値レベル３３０より大きい場合、カウンタ波形３６１は、フィードバックサンプリング期間３６９ごとにインクリメントされる。反対に、実施例において、フィードバック信号３３４が、フィードバックしきい値レベル３３０未満である場合、カウンタ波形３６１は、フィードバックサンプリング信号期間３６９ごとにディクリメントされる。１実施例において、カウンタ波形３６１の値は、図２Ａのカウンタ２２３の出力に類似していてもよい。図３の実施例において、図３のｎ番目のフィードバック期間３９２の終了時である時点３９１で波形３６１によって表されるカウントの最終値は、値３６５である。１実施例において、図３に示すように、カウントしきい値３６３、３６４によって定義されるヒステリシスバンドがある。
【００２９】
図２Ａのコントローラ２０９を参照して、たとえば、カウンタ信号２４９として示されたカウンタの出力が、しきい値カウンタ値３６３、３６４間の値を有する場合、状態機械２２２は、たとえば、ｎ番目のフィードバック期間に予め使用される稼動条件状態から変化しない次の（ｎ＋１）番目のフィードバック期間に稼動条件状態を設定する。言いかえれば、１実施例において、異なる稼動条件状態である（ｎ＋１）番目のフィードバック期間の次の稼動条件状態のために、時点３９１のカウントの最終値は、しきい値レベル３６３より大きい、またはしきい値レベル３６４より低くなければならない。
【００３０】
当然のことながら、他の実施例において、しきい値３６３より大きくしきい値レベル３６４未満の複数のカウントしきい値を採用してもよい。１実施例において、これらの複数のカウントしきい値を使用して、カウンタカウント３６０の値に応じて決定される動的応答を導入して、フィードバック期間の終了時での状態機械２２２の稼動条件状態の必要な変化を決定する。たとえば、時点３９１のカウンタカウント３６０の最終値が、しきい値３６３よりも著しく高い場合、これは、電源負荷の著しい低下を示してもよく、１実施例において、著しく低い状態の機械状態を必要としてもよい。したがって、しきい値３６２を超える複数のカウントしきい値を有することによって、１実施例において、カウンタカウント３６０の大きさに適切な状態機械２２２の稼動条件状態を選択することが可能である。
【００３１】
この稼動は、さらに、上記図２Ｂを参照して説明することができる。コントローラがｎ番目のフィードバック期間３９２に、稼動条件状態（Ｘ）２７０で稼動している１実施例において、コントローラは、最終カウント値３６５がヒステリシスしきい値カウントレベル３６３、３６４間にある場合に示された実施例における次の（ｎ＋１）番目のフィードバック期間３９３の稼動条件状態（Ｘ）２７０のままである。しかし、他の実施例において、最終カウント値がしきい値カウントレベル３６４未満である場合、これは、そのとき、前のフィードバック期間にわたって、フィードバック信号、たとえば、フィードバック信号２２０が、フィードバックしきい値レベルＶｒｅｆ２３０未満であり、たとえば、それがフィードバック期間にフィードバックしきい値レベルＶｒｅｆ２３０を超えることを表す。この実施例において、そのとき、負荷、たとえば、図１の負荷１１１に供給される電力を増大することが必要である。したがって、１実施例において、そのような条件下で、状態機械２２２は、稼動条件状態（Ｘ）２７０から稼動条件状態２７１（Ｘ＋１）に移行する。
【００３２】
上記図２Ａを参照して説明するように、他の実施例において、しきい値カウントレベル３６３、３６４に加えて、複数のカウンタしきい値を採用してもよい。そのような実施例において、負荷、たとえば、図１の負荷１１１への電源供給のより著しい増大が必要であるとフィードバック期間の終了時でのカウント値が表した場合、状態機械２２２は、たとえば、状態（Ｘ）２７０から状態（Ｘ＋２）に移行してもよい。
【００３３】
図３の実施例において、カウント値は、常に、各フィードバック期間の終了時で、しきい値カウントレベル３６２にリセットされる。図２Ａの実施例において、このカウンタ２２３のリセットは、カウンタ２２３のＲＥＳＥＴ入力へのフィードバック期間信号２２６の適用によって表される。このリセットは、各フィードバック期間がそのフィードバック期間に集められるフィードバック情報に対応し、したがって、電力コンバータの不安定性に結びつく可能性がある１つまたは複数の前のフィードバック期間からのエラーを蓄積しないことを確実にする。
【００３４】
図４は、本発明の教示を生かすコントローラ４０９およびスイッチ４１６を含む集積回路４８５の一例のブロック図を示す。１実施例において、コントローラ４０９の稼動は、図２Ａのコントローラ２０９と多くの態様を共有している。たとえば、実施例において、コントローラ４０９は、図のように、ともに結合されたフィードバックセンサ回路４２４、状態機械４２２、フィードバック期間信号発生器４２９、およびフィードバックサンプリング信号発生器４２１を含む。実施例において、フィードバック端子４１０は、集積回路４８５のアース端子４０８に対する電圧であるフィードバック信号４２０を受ける。フィードバック信号４２０は、コンパレータ４２５への入力でしきい値レベルＶｒｅｆ４３０と比較される。コンパレータ４２５の出力は、カウンタ４２３に結合され、フィードバックサンプリング信号発生器４２１によって測定される。実施例において、カウンタ４２３の出力は、状態機械４２２に結合される。１実施例では、状態機械４２２は、コントローラ４０９が、フィードバック期間信号発生器４２９によって発生するフィードバック期間信号４２６によって更新される時間に、カウンタ４２３の値に基づいてスイッチ４１６のスイッチングを制御する稼動条件または状態を設定する。１実施例において、フィードバックサンプリング信号４２７は、フィードバック期間信号４２６の期間の少なくとも３２０分の１の期間を有する。言いかえれば、フィードバックサンプリング信号４２７は、カウンタ４２３を、フィードバック期間信号４２６が実施例において状態機械４２２を更新するよりも少なくとも３２０倍測定する。
【００３５】
図４は、また、フィードバック期間信号発生器４２９が入力４７１を含むことを示し、１実施例は、フィードバック期間信号４２６を生成するために使用されるタイミング情報を得るために、電力コンバータの入力または出力に結合されてもよい。１実施例において、フィードバック期間信号４２６の期間は、図３に説明するように、たとえば、期間３３３などの、電力コンバータの入力に結合された交流電圧源の０電圧条件ごとの期間に実質的に等しい。他の実施例において、フィードバック期間信号４２６は、フィードバック信号３３４が、たとえば、図３に説明する一例の期間３３２などのフィードバックしきい値３３０を超える他の時間ごとの期間に実質的に等しい。
【００３６】
図４は、また、入力４７２を受けるために結合されたフィードバックサンプリング信号発生器４２１を示し、１実施例において、フィードバック期間信号発生器４２９からのフィードバック期間信号４２６としてもよい。１実施例において、フィードバック期間信号４２６は、フィードバックサンプリング信号発生器４２１によって使用されて、フィードバックサンプリング信号４２７の期間を調節して、フィードバックサンプリング信号４２７の実質的に一定の数が単一のフィードバック期間信号４２６ごとにもたらされることを確実にする。１実施例において、この機能は、当業者に知られている位相ロックループ回路に類似する。１実施例において、フィードバックサンプリング信号４２７の期間が調節されて、３２０のフィードバックサンプリング信号４２７が単一のフィードバック期間信号４２６ごとにもたらされることを確実にする。他の実施例において、３２０より多いまたは少ないフィードバックサンプリング信号４２７は、フィードバック期間信号４２６ごとに含まれていてもよい。多くのフィードバック信号を有するためのトレードオフが、回路のコストの増大および複雑性の代わりにより高い解像度および感度を有する利点となり、増大するフィードバックサンプリング信号４２７の数を支持する。
【００３７】
図４に説明する実施例は、また、第２のコンパレータ４４２として説明される第２のしきい値レベル検出回路を示し、フィードバックセンサ回路４２４内に含まれており、一方の入力がフィードバック信号４２０を受けるために結合され、他方の入力が第２のフィードバックしきい値Ｖｒｅｆ２  ４３１を受けるために結合されており、１実施例においてＶｒｅｆ４３０より大きい。実施例において、コンパレータ４４２からの出力信号４４３は結合されて、Ｖｒｅｆ２  ４３１とフィードバック信号４２０との比較に応じて、状態機械４２２がスイッチ４１６を切り替えることを有効／無効にする。１実施例において、信号４４３は、Ｖｒｅｆ２  ４３１を超えるフィードバック信号４２０により高から低に移行する。稼動時において、ロジック４４０は、図４でＡＮＤゲートとして説明され、結合されて、信号４４３を受けて、図のように、状態機械４２２を有効／無効にする。実施例において示すように、ロジック４４０は、フィードバック信号が、もはやＶｒｅｆ２  ４３１を超えないような時間までスイッチ４１６を無効にする。１実施例において、この稼動は、コントローラ４０９が使用される電力コンバータのために保護をもたらし、また、以下に記載するように、コントローラ４０９が使用される電力コンバータに結合された出力負荷を保護する。
【００３８】
図５は、図４を参照して上記付加回路を有し、および回路を有さない、たとえば、図１のコンデンサ１１２などの、非常に小さな値の出力コンデンサを使用する効果を説明するフィードバック波形を示す。検討するように、たとえば、図２Ａのコントローラ２０９などのコンパレータ４４２および上記関連回路を使用しない場合、波形５３５は生じることができる。波形５３６は、フィードバック波形の１実施例を図４の改良を生かすコントローラで説明する。
【００３９】
波形５３５に関して、図３のより対称なフィードバック波形３３４と比較する場合、波形５３５は、フィードバック期間５３２に、負荷電流に高いピークに対応する非常に高いピーク値を有する。１実施例において、そのような高いピーク電流は、たとえば、図１のＬＥＤ負荷１１１などの負荷と、たとえば、図１の出力ダイオード１８４などの電力コンバータ出力部品の両方に損傷を与える可能性がある。１実施例において、波形５３５などのフィードバック波形は、電力コンバータと負荷の寿命を低減する可能性があり、一般的に許容可能ではない。しかし、スペースおよびコスト削減の理由で、できるだけ出力コンデンサの値を低減することは多くの場合魅力的である。したがって、図４の実施例に記載された改良の導入は、波形５３５の最も明確なピークが、第２のしきい値フィードバックレベル５３１に限定されることを可能にし、１実施例では、図４の第２のフィードバックしきい値レベルＶｒｅｆ２  ４３１に類似していてもよい。
【００４０】
なお、図４の一例のコントローラ４０９は、実質的に遅延なく第２のしきい値レベル４３１を超えるフィードバック信号値に対応するので、電力コンバータの力率はある程度低下する。しかし、ＬＥＤ照明などの代表的な用途の力率目標が０．７〜０．９の範囲にあるので、力率のいくらかの低下はさらに許容可能であり、小さな出力コンデンサを使用するコストおよびスペースの節約は、これを魅力的なトレードオフとすることができる。
【００４１】
さらに、たとえば、図１のコンデンサ１１２などの出力コンデンサの容量値は、電力コンバータの寿命の間に、経時的に減少する可能性があることが留意される。そのようなものとして、１実施例において、図４に記載された付加回路は、出力コンデンサの電気容量が電力コンバータの寿命の間に経時的に減少するにつれて、負荷および電力コンバータを保護することができる。
【００４２】
本発明の説明された実施例の上記記載は、要約書に記載されるものを含み、完全であること、すなわち開示された正確な形態への限定を意図しない。本発明の具体的な実施形態および本発明についての実施例は、実例となる目的のために本明細書に記載され、本発明のより広い精神および範囲から逸脱することなく、様々な均等な変形が可能である。
【００４３】
これらの変形は、上記詳細な説明の観点から本発明の実施例とすることができる。次の特許請求の範囲で使用される用語は、本発明を明細書に開示された具体的な実施形態および特許請求の範囲に限定すると解釈されるべきではない。もっと正確に言えば、範囲は、完全に次の特許請求の範囲によって決定され、特許請求の範囲の解釈の確立された理論に従って解釈される。したがって、本明細書および図面は限定というよりむしろ実例とされる。
【図１】
0005860596.tif 000002
【図２Ａ】
0005860596.tif 000003
【図２Ｂ】
0005860596.tif 000004
【図３】
0005860596.tif 000005
【図４】
0005860596.tif 000006
【図５】
0005860596.tif 000007